(57)【要約】  色識別ディスプレイシステムは、変更可能な見掛け表面色を持つ照明面１１１、２１１、５０１、６１１と、検出領域内に配置される物体１０９、２０３、３０５、５０３の色をキャプチャする色キャプチャ装置１０５、２０５、３１７、５０７、６０３と、プロセッサ１１３とを有する。前記照明面１１１、２１１、５０１、６１１及び前記色キャプチャ装置１０５、２０５、３１７、５０７、６０３は、前記プロセッサ１１３に結合される。前記プロセッサ１１３は、キャプチャされた前記色を解析して、前記物体１０９、２０３、３０５、５０３の目立つ色を決定し、決定された前記目立つ色に基づいて前記照明面１１１、２１１、５０１、６１１の色を制御する。前記照明面１１１、２１１、５０１、６１１の色は、前記目立つ色に適合するよう、前記目立つ色を補完するよう、又は前記目立つ色に類似するよう、調節され得る。
2009521093.tif 000002
【特許請求の範囲】
【請求項１】
色識別ディスプレイシステムであり、
変更可能な見掛け表面色を持つよう構成される照明面と、
検出領域内に配置される物体の色をキャプチャするよう構成される色キャプチャ装置と、
プロセッサとを有する色識別ディスプレイシステムであって、前記照明面及び前記色キャプチャ装置が、前記プロセッサに動作可能に結合され、前記プロセッサが、キャプチャされた前記色を解析して、前記物体の目立つ色を決定するよう構成され、前記プロセッサが、決定された前記目立つ色に基づいて前記照明面の色を制御するよう構成される色識別ディスプレイシステム。
【請求項２】
請求項１に記載の色識別ディスプレイシステムであって、前記照明面が、ディスプレイキューブの壁部である色識別ディスプレイシステム。
【請求項３】
請求項１に記載の色識別ディスプレイシステムであって、前記プロセッサが、前記目立つ色に適合するよう前記照明面の色を制御するよう構成される色識別ディスプレイシステム。
【請求項４】
請求項１に記載の色識別ディスプレイシステムであって、前記プロセッサが、前記目立つ色に対する類似色及び補色のうちの１つを生成するよう前記照明面の色を制御するよう構成される色識別ディスプレイシステム。
【請求項５】
請求項１に記載の色識別ディスプレイシステムであって、前記プロセッサが、前記決定された目立つ色に基づいて前記照明面のための複数の色のうちの１つを選択するためのユーザインタフェースをユーザに供給するよう構成される色識別ディスプレイシステム。
【請求項６】
請求項１に記載の色識別ディスプレイシステムであって、前記照明面が、前記物体のまわりに配置される複数の照明面のうちの１つである色識別ディスプレイシステム。
【請求項７】
請求項１に記載の色識別ディスプレイシステムであって、前記物体が前記照明面上に配置される色識別ディスプレイシステム。
【請求項８】
請求項１に記載の色識別ディスプレイシステムであって、前記物体の近くのユーザの存在を検出する検出器を有し、前記プロセッサが、前記ユーザの存在の検出に応じて、前記照明面の色を中間色に変えるよう構成される色識別ディスプレイシステム。 
【請求項９】
請求項８に記載の色識別ディスプレイシステムであって、ハイライト照明素子を有し、前記プロセッサが、前記ユーザの存在の検出に応じて、前記物体の照明を供給するよう構成される色識別ディスプレイシステム。
【請求項１０】
請求項９に記載の色識別ディスプレイシステムであって、前記色キャプチャ装置が、前記物体の形状を決定するよう構成され、前記プロセッサが、前記物体の形状にほぼ一致する形状において、前記物体の照明を供給するよう構成される色識別ディスプレイシステム。
【請求項１１】
請求項１に記載の色識別ディスプレイシステムであって、前記色キャプチャ装置が、前記物体からのＲＦＩＤ送信を受信することによって前記物体の色をキャプチャするよう構成されるＲＦＩＤ受信機である色識別ディスプレイシステム。
【請求項１２】
請求項１１に記載の色識別ディスプレイシステムであって、前記物体からの前記ＲＦＩＤ送信が、前記物体の色に対する類似色及び補色に関する情報を含む色識別ディスプレイシステム。
【請求項１３】
展示領域に照明を供給する方法であって、
前記展示領域内に配置される物体の目立つ色を識別する動作と、
識別された前記目立つ色によって決定される照明面の色を調節する動作とを有する方法。
【請求項１４】
請求項１３に記載の方法であって、前記照明面の色が、前記目立つ色に適合するよう調節、前記目立つ色を補完するよう調節、及び前記目立つ色に類似するよう調節のうちの１つをされる方法。
【請求項１５】
請求項１３に記載の方法であって、前記識別された目立つ色に基づいて前記照明面のための複数の色のうちの１つを選択するためのユーザインタフェースをユーザに供給する動作を有する方法。
【請求項１６】
請求項１３に記載の方法であって、
前記物体の近くのユーザの存在を検出する動作と、
前記ユーザの存在の検出に応じて、前記照明面の色を中間色に変える動作とを有する方法。
【請求項１７】
コンピュータ読取り可能媒体に盛り込まれるアプリケーションであり、展示領域に照明を供給するよう構成されるアプリケーションであって、
前記展示領域内に配置される物体の目立つ色を識別するよう構成される部分と、
識別された前記目立つ色によって決定される照明面の色を調節するよう構成される部分とを有するアプリケーション。
【請求項１８】
請求項１７に記載のアプリケーションであって、前記照明面の色を調節するよう構成される部分が、前記照明面の色を、前記目立つ色に適合するよう調節、前記目立つ色を補完するよう調節、及び前記目立つ色に類似するよう調節のうちの１つをするよう構成されるアプリケーション。
【請求項１９】
請求項１７に記載のアプリケーションであって、前記識別された目立つ色に基づいて前記照明面のための複数の色のうちの１つを選択するためのユーザインタフェースをユーザに供給するよう構成される部分を有するアプリケーション。
【請求項２０】
請求項１７に記載のアプリケーションであって、
前記物体の近くのユーザの存在を検出するよう構成される部分と、
前記ユーザの存在の検出に応じて、前記照明面の色を中間色に変えるよう構成される部分とを有するアプリケーション。
【発明の詳細な説明】
【技術分野】
【０００１】
本発明は、店用ディスプレイシステムのための色の適合に関する。
【背景技術】
【０００２】
店の中のディスプレイシステムは、前記ディスプレイシステムに新しい物体が挿入されるので、絶え間なく修正を加えられる。修正は、多くの場合、ディスプレイシステム内の色の変更から成る。例えば、多様なタイプの物体を展示するのに、多くの場合、ディスプレイキューブ(display cube)が用いられる。物体はキューブの中及び外へ動かされるので、又は特定の季節若しくはトレンドは新しい色を要求するので、キューブは、前記要求に適合するよう塗装される必要がある。塗装は、店の店主側のかなりの労力を必要とする。更に、暗い色の上に明るい色を塗装するといった、或る色の上に塗装をすることは困難であるかもしれない。一部のファッションの店は、一年に１１回以上前記店のコレクションを変更し、ディスプレイキューブの絶え間ない修正を必要とすることが知られている。
【発明の開示】
【発明が解決しようとする課題】
【０００３】
本システムの目的は、従来技術のこれら及び他の不利な点を克服することにある。
【課題を解決するための手段】
【０００４】
本システムは、展示領域の構造物の色を容易に変えることを可能にし、塗装を必要としないディスプレイシステムを提案する。
【０００５】
本システムは、ディスプレイシステムであって、前記ディスプレイシステムによって示される色を、素早く、容易に変えることを可能にするディスプレイシステムを供給する。ディスプレイシステムは、最も目立つ(prominent)色の決定のための、画像キャプチャ及び画像解析のための手段を供給する。本システムは、前記システムの色の修正であって、前記システムに収容される物体の特徴に基づく自動的なものである、前記システムの色の修正を可能にする。前記ディスプレイシステムの環境が、適合する又は対応する色を示すことを可能にしながら、物体は、白色光で照明されてもよい。前記ディスプレイシステムは、前記ユーザが、特定の物体に対して相補的であるであろう様々な色から選択することを可能にする。前記ディスプレイシステムの中にある物体の色の解析、並びに前記物体の大きさ及び位置の決定のために、スマートカメラが利用されてもよい。本システムは、色の検出の機能を持つディスプレイシステムも供給し得る。
【０００６】
以下は、以下の図面と併用される場合に、上で言及した特徴及び利点、並びに他の特徴及び利点を明らかにするであろう実施例の説明である。以下の説明における、特定の構造、インタフェース、技術などのような具体的な詳細は、限定ではなく、説明の目的のために、例として、記載されている。しかしながら、これらの具体的な詳細から外れる他の実施例も、まだ、添付した請求項の範囲内にあると理解されるであろうことは当業者には明らかであろう。更に、理解しやすいように、よく知られている装置、回路及び方法の詳細な説明は、本発明の説明を不明瞭にしないように、省かれている。
【０００７】
図面は、説明目的のために含まれており、本システムの範囲を表わすものではないことは、はっきりと理解されたい。
【発明を実施するための最良の形態】
【０００８】
本願明細書で利用されているような、「照明システム」という用語は、照明素子の集まりを指し、このような照明素子は、発光ダイオードＬＥＤ、ハロゲンランプ、蛍光灯及び高輝度放電ランプＨＩＤ、並びに環境の１つ又は複数の異なる色を生成するために組み合わされるディフューザなどの他のツールを含み得る。本システムにおいて有用であり得る照明素子は、参照により、そっくりそのまま、本願明細書に盛り込まれる米国特許出願公開番号第2005/0040774号（'７４４公報）に記載されている。'７４４公報は、調節可能な色で物体を照明するためのシステムを記載している。参照により、そっくりそのまま、本願明細書に盛り込まれる欧州特許出願公開番号第1462711 A1号は、ＬＥＤ照明の可変色温度を作成するためのシステムを記載している。
【０００９】
本願明細書で用いられているような、「目立つ色」という用語は、物体の色であって、前記物体のあらゆる他の色と比べて、前記物体の見える最も大きい部分に見いだされる物体の色を指し得る。目立つ色はまた、物体から識別可能なあらゆる色の中で最も明るい色であってもよい。目立つ色はまた、物体の最も優勢な(prevalent)カラーパターン又はカラーテクスチャ(color texture)から成ってもよい。更に、目立つ色はまた、物体から識別可能なあらゆる色の中で最も飽和した色であってもよい。目立つ色はまた、上記の方法のいずれかの組み合わせによって決定されてもよい。例えば、存在する他の色に比べて、物体の見える大きな部分に見出され、且つ高い飽和レベルを持つ色を見つけることによって決定されてもよい。
【００１０】
「スマートカメラ」という用語は、カメラ及びイメージプロセッサから成る装置を指す。スマートカメラは、物体の目立つ色を決定するために、展示領域内に配置される物体の画像をキャプチャし、物体の色及びテクスチャを解析する。物体から決定された目立つ色は、次いで、システムによって利用され得る。
【００１１】
「プロセッサ」という用語は、マイクロプロセッサ及びＣＰＵという用語と同じ意味で用いられ得る。本システムにおいては、プロセッサは、システム内に含まれるＬＥＤアレイに適切なＲＧＢ値を伝えるための色設定手段を含む。使用中、スマートカメラからの製品の１つ又は複数の目立つ色の入力に続いて、色設定手段を含むプロセッサが、１つ又は複数の目立つ色に対して、１つ又は複数の対応する色を決定する。次いで、１つ又は複数の対応する色のＲＧＢ値が、システムにおける視覚化のために、ＬＥＤアレイに渡される。
【００１２】
各特定の照明素子の詳細な動作に関する詳細な説明は示されないことに注意されたい。記載されているシステムの一部を形成する照明素子は、基本的に任意の色及び強度を持つ可視光を再現することが出来ることを理解されたい。照明素子は、例えば、ＲＧＢ系の色に適合するマルチカラー発光ダイオードＬＥＤ装置の形態で実現され得るが、他の表色系も適切に利用され得る。しかし、本システムの範囲から外れずに、任意の他の適切な制御可能なマルチカラー発光素子が用いられ得る。 
【００１３】
本願明細書において全体を通して用いられているような「ディスプレイシステム」という用語は、ディスプレイキューブ、棚のスペース、店の中の特定の領域、壁面又はカウンタ表面などの表面、及びカウンタのスペースを含むが、これらに限定されない、店の環境内で物体を展示するための任意の装置を指し得る。ディスプレイシステムは、このように、物体を展示するための環境である。
【００１４】
「対応する色」という用語は、製品の、１つ又は複数の目立つ色と関連がある１つ又は複数の色を指す。１つ又は複数の対応する色は、例えば、１つ又は複数の目立つ色に対するそのカラーホイール位置(color wheel position)に基づいて決定され得る。１つ又は複数の対応する色は、目立つ色の両側にあり得る色である類似色と、目立つ色とは正反対側にある色である補色と、通常、補色から１ステップが取り除かれる間接的な補色である分裂補色と、カラーホイールにおいて、目立つ色が中心とみなされている状態で、互いからの距離において等しく離間されている３つの色であるトライアドカラー(triad colors)とを含んでもよい。
【００１５】
図１は、照明素子１０３及びディフューザ１１１を含む、物体１０９を展示するためのディスプレイキューブ１０１から成るディスプレイシステムを示している。ディフューザ１１１は、照明素子１０３からの光を拡散させて、ディフューザ１１１の面全体にわたる拡散光を生成するよう動作可能である。この方法においては、照明素子１０３の１つ以上から発している色又は色合い(shade)である外観をディフューザ１１１の面に与える照明効果がもたらされる。ディフューザ１１１はまた、複数の色の個々の色を知覚させない、複数の照明素子１０３から発する複数の色の組み合わせである色を生成するために、複数の照明素子１０３から来る複数の色を混ぜ合わせるよう動作可能であってもよい。ディフューザは、例えば、アクリルサテン(acryl satine)のシートで構成されてもよいが、明らかに、任意の他の拡散材料も適切に利用され得る。照明素子１０３及びスマートカメラ１０５はプロセッサ１１３に接続される。プロセッサ１１３は、スマートカメラ１０５から画像データを受け取り、ここで更に説明するような動作のために照明素子１０３を制御する。プロセッサは、メモリ１１７を持ち、メモリ１１７は、色適合及び色補完情報、並びにプロセッサ１１３、カメラ１０５、照明素子１０３及びユーザインタフェース１１９を動作させるためのプログラム命令を記憶し得る。ユーザインタフェースは、ユーザに情報を供給し、ユーザから色の選択を受け取るよう動作可能である。ディスプレイキューブ１０１は、例示的には、キューブ１０１の上部から出力され得る、白色光照明などの物体照明を出力し得る照明素子１０７を含む。或る実施例においては、ユーザインタフェース１１９は、示されているように、プロセッサ１１３に動作可能に結合される無線遠隔制御装置として設けられる。ユーザインタフェースを用いる遠隔制御装置は、ユーザ選択のための入力をシステムに供給するよう動作可能である。
【００１６】
使用中、システムは、自動モードを持っていてもよく、自動モードにおいては、システムは、キューブ１０１内に展示されている物体１０９の色に適合させるよう、キューブ１０１の環境の色を自動的に調節する。示されている実施例においては、環境の色は、ディフューザ１１１の知覚色である。或る実施例において、物体１０９の或る部分は或る色であり、物体１０９の別の部分は別の色である場合、及び／又はキューブ１０１内に配置される異なる色を持つ複数の物体１０９がある場合などには、ディフューザ１１１の異なる部分は、異なった色にされ得る。
【００１７】
物体１０９の色に適合させるということは、物体１０９の目立つ色を識別し、物体の１つ又は複数の目立つ色に適合する、又は前記目立つ色を補完する、ディフューザ１１１の知覚色を生成するよう照明素子１０３を着色することを含む。或る実施例においては、システムは、物体１０９に適合させるのに適している様々な色に自動的に切り換え得る。この方法においては、物体１０９は、異なる時間において、各々が、物体１０９の１つ又は複数の色を補完する、又は前記色に適合する、複数の環境（例えば、ディフューザ１１１の知覚色）において知覚され得る。自動切り換えは、特定の時間間隔に基づいて行われてもよく、前記特定の時間間隔は、例えば秒単位から日単位まで様々であり得る。自動切り換えはまた、時刻に基づいて行われてもよく、故に、物体１０９、及びキューブ１０１の外側で利用可能であり得る日光によって供給される自然照明と相関する特定の色が供給される。色の切り換えは、滑らかな遷移であってもよく、又はシステムが或る色から次の色になるような、より急な変化であってもよい。
【００１８】
キューブ１０１の環境の色の調節又は切り換えは、例示的にキューブ１０１の上部に配置されているスマートカメラ１０５によって開始され得る。スマートカメラは、キューブ１０１内の物体１０９の画像をキャプチャし、画像を解析して、物体１０９の目立つ色を決定することによってこの機能を実施する。この解析に基づいて、照明素子１０３は、ディフューザ１１１を介して、キューブ１０１の内面（例えば、キューブ１０１の知覚される内壁）が、物体１０９の目立つ色又は補色に着色される視覚を供給する。照明素子１０３は、物体１０９を照明又はハイライト(highlight)するのとは対照的に、単に、ディフューザ１１１の知覚色を供給するのに用いられるので、照明素子は、好ましくは、知覚色を供給するのに十分である光度を持つが、物体１０９を直接的にはハイライト又は照明しない。
【００１９】
或る実施例においては、白色又は着色照明素子などの、照明素子１０３とは別の照明素子１０７が、白色光又は着色光で、物体１０９をハイライトする又は物体１０９にスポットライトを当てるのに利用される照明を供給する。照明素子１０７は、照明素子１０３と類似した又は異なる照明素子であってもよい。しかしながら、照明素子１０７は、物体１０９をハイライトする又は物体１０９にスポットライトを当てるのに十分である強度（例えば明るさ）で供給される。或る実施例においては、照明素子１０７からの照明は、物体１０９の大きさ及び位置に合わせて調節される。照明１０７からの光の調節は、物体の大きさ及び位置の測定という、スマートカメラ１０５の別の機能の結果であってもよい。
【００２０】
図２は、ディスプレイキューブ２０１の上部２０７に組み込まれるＬＥＤのマトリックス２０９及び２１１を介して供給される白色照明などの照明２１３による物体２０３の照明を示している。使用中、スマートカメラ２０５が、照明２１３の適切な調節を容易にするために物体２０３の形状及び大きさを決定するのに利用される物体２０３の画像をキャプチャする。スマートカメラ２０５内では、物体２０３がどこに配置されているかを、背景２１５と比較して、識別するために、コンピュータビジョン技術が用いられてもよい。
【００２１】
図３は、物体３０５の色が背景３１５の色と類似している場合に、物体３０５の位置及び／又は形状の識別を容易にするための、システムの別の実施例３０１である。例えば、物体３０５が白色であり、背景３１５が白色である場合のものである。この場合には、スマートカメラ３１７が照明３１８を調節することは困難であり得る。この場合には、マトリックスランプ３１１内にＬＥＤの行３０９及び／又はＬＥＤの列３０７が収容され得る。動作中、スマートカメラ３１７で画像をキャプチャしながら、ＬＥＤ３０９及び／又はＬＥＤ３０７が、順々に、オン及びオフに切り換えられる。ＬＥＤの行又は列３０９、３０７が順々にオンに切り換えられるので、物体３０５は、影３１３ａ、３１３ｂを落とし、影３１３ａ、３１３ｂはスマートカメラ３１７によって解析される。影３１３ａ、３１３ｂから得られる情報は、物体３０５の外形を決定するのに用いられ得る。"Multiple Point And Shape Detection With A Touch Screen"という題名の米国特許出願（代理人開示番号第698424号）が、影を用いて物体の形状を検出する方法を開示しており、本願明細書にそっくりそのまま盛り込まれる。物体３０５の外形を決定した後、次いで、背景３１５を照明せずに物体３０５を照明するよう配置されているＬＥＤ３０９、３０７のうちの選択ＬＥＤがオンに切り換えられる。  
【００２２】
この実施例及び／又は別の実施例において、システムは、手動モードで動作可能であってもよい。手動モードにおいては、システムによって示されるべき色が、図１において例示的に示されているような入力選択部を含むユーザインタフェース１１９を介してユーザによって選ばれるであろう。ユーザに提示される色の選択範囲は、スマートカメラ１０５の色解析に依存する様々な色の選択肢の中のものであろう。色の選択肢の決定に関する他の情報は、図７乃至１０に関して示され、説明されている。ユーザインタフェース１１９は、ユーザが様々な色の選択肢を通して切り換えることを可能にするボタンから成ってもよい。ボタンは、ユーザインタフェース１１９の押しボタン又はタッチセンサ式領域であってもよい。ボタンは、ディスプレイキューブ１０１の内部又は外部に配置されてもよい。  
【００２３】
手動モードの他の実施例においては、ディスプレイキューブ１０１内に新しい物体を配置すると、スマートカメラ１０５は、物体を検出し、目立つ色について物体を解析し、或る期間、例えば３分間、照明素子１０３及びディフューザ１１１を用いて、複数の色の選択肢を、順次に１つずつ供給し得る。次いで、ユーザは、ユーザインタフェース１１９を用いて最も適した色を選択することが出来るであろう。
【００２４】
図４は、物体画像４０５としてユーザインタフェース４０１内に表示される物体の目立つ色の解析に基づいてユーザに提示される様々な色を表示する色の選択肢４０３を含むユーザインタフェース４０１を示している。物体画像４０５は、展示領域内にある物体を画像化するスマートカメラ（図示せず）によって取得され得る。色の選択肢はまた、展示側部４０７に表示されてもよい。展示側部４０７における色の選択肢と共にユーザインタフェース４０１内に物体画像４０５を供給することは、ユーザが、実際の展示領域において供給される効果から切り離して、物体及び目立つ色の組み合わせの感じをつかむことを可能にすることにより、ユーザに望ましい色の選択を簡単にし得る。ユーザは、例えば所望の色の選択肢の領域においてユーザインタフェース４０１に触れることによって、システムによって示されるべき色を、色の選択肢４０３の中から選択し得る。 
【００２５】
本システムにおいて、店の、棚などといった物体が展示される特定の領域にシステムが配置される場合には、スマートカメラが、前記領域の方へ向けられ、画像が、物体の目立つ色の抽出などの処理をされる。次いで、店のその特定の領域のカラー照明が、上記のように、自動的に又は手動で修正され得る。  
【００２６】
図５は、システムが小売店内の特定の展示面５０１と共に動作する実施例を示している。スマートカメラ５０７は、物体５０３の方へ向けられ、物体５０３の目立つ色を検出する。展示面５０１の下に配置される照明素子５０５は、目立つ色に適合、補完などをするよう、展示面５０１の知覚色を修正するよう動作可能である。  
【００２７】
別の実施例においては、システムは、色を修正するための情報のデータベースを含み得る。このような情報は、物体のどの色が他の色又は所与の色の組み合わせに適合するかを含み得る。前記情報は、物体の「メタデータ」情報も含み得る。この方法においては、図１に示されているような、無線ＩＣタグ（ＲＦＩＤ）１２１に含まれ得るような、識別可能な識別情報を含む物体が、システムによってキャプチャされてもよい。メタデータ情報は、物体の色に適合する又は前記色を補完する提案表示色を含む、コレクションの中の各物体の色値に関し得る。この実施例においては、スマートカメラ１０５は、物体のＲＦＩＤタグ上にあるメタデータを受け取るためのＲＦＩＤ受信機に置き換えられてもよく、又は前記ＲＦＩＤ受信機で補われてもよい。
【００２８】
即製のシステムにおいて有用なスマートカメラは、紙の上のロゴなどの色、パターン又は画像を検出することが可能なカラーセンサ技術を有してもよい。この方法においては、ユーザが、所望の色をシステムに呈示し、照明素子にそれを示させてもよく、又は適合／補完させてもよい。図６は、色検出の機能を持つスマートカメラ６０３を備えるシステムの実施例６０１を示している。照明素子６０９は、床面６１１の知覚色を着色するために、例示的に、床面６１１の下に配置されている。この実施例においては、紙６０５が、色検出のためのスマートカメラ６０３によって検出可能な特定の位置内に配置され得る。紙６０５は、スマートカメラ６０３によって識別可能である、色、テクスチャ、パターンなどといった特徴を視覚的に示し得る。その場合、システムは、紙の視覚的な特徴を識別し、床面６１１において視覚的に識別可能である、適合又は補完する色、テクスチャ、パターンなどを示すよう照明素子６０９を制御する。
【００２９】
図７乃至１０は、どのようにして、プロセッサによって、交替色(alternate colors)が、決定され、ユーザに提示され得るかの例を示している。  
【００３０】
図７は、類似色又は補色を選択するために本システムによって実際に利用され得るカラーホイールの例である。示されているように、カラーホイールのまわりには様々な色が配置され、２つ以上の色が互いに突き合わされることを可能にする。所与のカラーホイール配列は、メモリ１１７に予め記憶されてもよく、且つ／又は目立つ色の決定に応じてプロセッサ１１３によって動的に決定されてもよい。
【００３１】
図８は、目立つ色に類似した色を選択するのに用いられるカラーホイールの例であり、１つ又は複数のこのような類似色は、目立つ色の両側に配置されてもよく、本システムによって選択肢としてユーザに提示され得る。
【００３２】
図９は、目立つ色に対して相補的である色を選択するのに用いられるカラーホイールの例であり、このような補色は、カラーホイール上では目立つ色の真向かいにある。その場合、上記のように、ユーザの確認及び選択のために、本システムにより、補色が供給され得る。
【００３３】
図１０は、ユーザの確認及び選択のために、本システムにより供給され得る、目立つ色に対して間接的に相補的又は分裂相補的である色を選択するのに用いられるカラーホイールの例である。  
【００３４】
本発明のシステムにおいては、プロセッサは、プロセッサによって決定されるような製品の１つ又は複数の目立つ色に基づいて、１つ又は複数の類似色、補色若しくは分裂補色を選択するための、メモリ１１７（図１参照）に記憶され得るデータベースを有するコンピュータプログラムなどの、色選択手段を含む。その場合、色選択手段は、１つ又は複数の適切な色を提示し、ＬＥＤアレイにＲＧＢ値を転送して、１つ又は複数の提示色の視覚化をユーザに供給する。
【００３５】
本発明の或る実施例においては、使用中、店の顧客がディスプレイシステムに近づくと、プロセッサは、スマートカメラ１０５の使用を介して、又は他の検出装置によって、顧客の接近を検出し得る。プロセッサは、それに応じて、白色、黒色、又は目立つ色から決定される他の中間色に変わる又はフェードする(fade)ようディスプレイキューブの視覚化色を変え得る。これは、顧客が製品をはっきり見ることを可能にするであろう。顧客がディスプレイシステムから製品を取り去る場合には、ディスプレイシステムの視覚化色は、中間色又は暗い色、例えば黒色に変わり得る又はフェードし得る。顧客が、製品をディスプレイシステムに戻すと、視覚化色は、次いで、元の適合色に戻り得る（例えば、フェードし得る）。物体の取り去りは、スマートカメラによって検出されてもよく、又は物体の配置を検出するために物体の下に配置されているセンサなどの他の検出装置によって検出されてもよい。
【００３６】
添付図面を参照して本システムの実施例を説明したが、本システムは、まさにその実施例に限定されるわけではなく、当業者によって、添付した請求項において規定されているような範囲又は精神から外れない様々な変形及び修正が前記実施例になされ得ることは理解されたい。例えば、例示的に、ディフューザの面全体にわたる拡散光を生成するための照明素子（例えば照明素子１０３）と、物体照明を出力し得る照明素子（例えば照明素子１０７）とが、別々の照明素子として記載されているが、それらが実際に別々である必要はない。例示的には、記載した照明素子の両方が、物体を白色光で照明し、物体のまわりの環境のための対応するカラー光を作成するのに用いられ得る（例えばディスプレイキューブの「天井」に組み込まれ得る）ＩＭＩ（屋内マトリックス照明）システムなどの単一の照明ユニットに組み込まれてもよい。多くの、代わりの実施例、実施例の組み合わせ、及び実施例の副結合したもの(subcombination)が、後に続く請求項の範囲内であることを理解されたい。
【００３７】
添付した請求項の解釈において、
ａ）「有する」という用語は、示されている請求項において列挙されている要素又は動作以外の要素又は動作の存在を除外せず、
ｂ）要素の単数形表記は、このような要素の複数の存在を除外せず、
ｃ）請求項内の如何なる参照符号も前記請求項の範囲を限定せず、 
ｄ）幾つかの「手段」は、同じアイテム、ハードウェア又はソフトウェア実施構造若しくは機能によって表わされてもよく、
ｅ）開示されている要素のいずれも、（例えば、ばらばらの電子回路及び集積電子回路を含む）ハードウェア部、ソフトウェア部（例えばコンピュータプログラム）、及びそれらの任意の組み合わせで構成されてもよく、
ｆ）ハードウェア部は、アナログ部及びデジタル部の一方又は両方で構成されてもよく、
ｇ）特に別段の定めをした場合を除き、開示されている装置又はその一部のいずれも、更なる部分に分けられてもよく、又は組み合わされてもよく、
ｈ）特に示されない限り、特定の順序の動作又はステップが必要とされるとは意図されていないことを理解されたい。
【図面の簡単な説明】
【００３８】
【図１】ディスプレイシステム、照明素子及びスマートカメラを有する、本システムによる実施例である。
【図２】前記ディスプレイシステムがＬＥＤのマトリックスを含む、本システムによる実施例である。
【図３】物体の外形が前記物体の影から決定される、本システムによる実施例である。
【図４】提示される様々な色の中から特定の色を選ぶための手段を更に有する、本システムによるディスプレイシステムである。
【図５】前記ディスプレイシステムが店の特定の領域である、本システムによるディスプレイシステムである。
【図６】前記スマートカメラが色検出技術を含む、本システムによるディスプレイシステムである。
【図７】本システムの色選択手段によって、どのようにして、交替色が提示されるのかを図示する。
【図８】本システムの色選択手段によって、どのようにして、交替色が提示されるのかを図示する。
【図９】本システムの色選択手段によって、どのようにして、交替色が提示されるのかを図示する。
【図１０】本システムの色選択手段によって、どのようにして、交替色が提示されるのかを図示する。
【図１】
2009521093.tif 000003
【図２】
2009521093.tif 000004
【図３】
2009521093.tif 000005
【図４】
2009521093.tif 000006
【図５】
2009521093.tif 000007
【図６】
2009521093.tif 000008
【図７】
2009521093.tif 000009
【図８】
2009521093.tif 000010
【図９】
2009521093.tif 000011
【図１０】
2009521093.tif 000012
【国際調査報告】
2009521093.tif 000013
2009521093.tif 000014